(57)【要約】【課題】ご飯をよそうときに、掬取部表面にご飯が付着しにくい効果を有するとともに、安価にしかも容易に製造することができるしゃもじを提供することを目的とする。【解決手段】ご飯を掬い取る部位であるヘラ状に形成された掬取部と、この掬取部の一端から延設されている把手部とを備えたしゃもじにおいて、前記掬取部に、７５ｍｍ２以上１８７５ｍｍ２以下の面積を有する孔が複数個穿設されていることを特徴とする構成とした。【選択図】　　　図１
2004057348.tif 000002
【特許請求の範囲】
【請求項１】
ご飯を掬い取る掬取部と、この掬取部から延設されている把手部とを備えたしゃもじにおいて、
前記掬取部に、７５ｍｍ２以上１８７５ｍｍ２以下の面積を有する孔が複数個、前記孔の面積が掬取部の面積の２５％以上７５％以下となるように穿設されていることを特徴とするしゃもじ。
【発明の詳細な説明】
【０００１】
【発明の属する技術分野】
本発明は、ご飯を掬うしゃもじに関し、詳しくは、掬ったご飯の離型に優れているしゃもじに関する。
【０００２】
【従来の技術】
炊飯器内のご飯を茶碗などへよそうときに使用するしゃもじは、飯を掬い取る部分であるヘラ状の掬取部と、この掬取部の一端から延設されている把手部とを備えた形状をしており、一般に、木、竹、合成樹脂などで形成されている。
従来、しゃもじは、ご飯をよそう際、掬取部にご飯が付着しやすいという問題があった。掬取部にご飯が付着したしゃもじは、見栄えが悪くなるばかりか、その後、ご飯を掬い取ることが困難となってしまうため、その度、掬取部に付着したご飯を取り除く必要があり、非常に面倒であるという問題がある。
【０００３】
そこで、上述したような問題を解決すべく、しゃもじの掬取部にご飯が付着してしまうことを抑制する対策として、しゃもじの掬取部をフッ素樹脂やシリコン樹脂などの滑りを良くするための潤滑剤で表面処理したり、合成樹脂製のしゃもじの合成樹脂に上述したような潤滑剤を練りこむようにしたり、しゃもじの掬取部表面に球面状の突起を形成させるようにしたり、様々な対策がなされたしゃもじが開発され実際に市販されている。
【０００４】
【発明が解決しようとする課題】
しかし、上述したように、掬取部をフッ素樹脂やシリコーン樹脂などで表面処理を行い、離型性を高めたしゃもじは、長期間使用することで傷などが付くことにより、ご飯の付着防止効果が殆ど期待できなくなってしまう。
また、しゃもじの材料となる合成樹脂に上述したようなフッ素樹脂やシリコーン樹脂などを練りこむようにしたしゃもじは、潤滑剤の配合量の調整が難しく、しゃもじの強度を確保しつつ、ご飯の付着防止を確実にすることが困難である。
【０００５】
さらに、上述したようなしゃもじは、掬取部を潤滑剤で表面処理加工したり、材料となる合成樹脂に潤滑剤を練りこんだりする操作が煩雑であり、しゃもじを製造するときのコストが高くなってしまうという問題も有する。
【０００６】
一方、掬取部表面に球面状の突起を形成させるようにしたしゃもじは、潤滑剤を使用するわけではなく、掬取部表面を特殊な形状に形成させるだけであるため、長期間使用することによりご飯の付着効果が悪くなってしまうことは生じにくいが、形成させる突起の周囲部分に汚れが溜まりやすく、衛生的ではないという問題がある。
【０００７】
そこで、本発明は、上述した問題に鑑みてなされ、ご飯をよそうときに、掬取部表面にご飯が付着しにくい効果を有するとともに、安価にしかも容易に製造することができるしゃもじを提供することを目的としている。
【０００８】
【課題を解決するための手段】
このような目的を達成するために、本発明の請求項１にかかるしゃもじ（以下、「請求項１のしゃもじ」とのみ記す。）は、ご飯を掬い取る掬取部と、この掬取部から延設されている把手部とを備えたしゃもじにおいて、前記掬取部に、７５ｍｍ２以上１８７５ｍｍ２以下の面積を有する孔が複数個、前記孔の面積が掬取部の面積の２５％以上７５％以下となるように穿設されていることを特徴とする構成とした。
【０００９】
本発明において、しゃもじを構成する材料は、合成樹脂に限らず、木や竹など他の材料であってもよく特に限定されない。
また、孔は、上述した範囲内の面積を有していれば、円形、長円形、四角形、その他の多角形など形状が限定されず、メッシュ状に孔が設けられていても良いが、掬い取るご飯の詰まりをより防止するため孔のコーナー部分角度が９０度以上とすることが好ましく、孔が円形に形成されていることが特に好ましい。なお、孔は、大きさや形状の異なるものを複数組み合わせるようにしても良い。
【００１０】
また、孔は、孔の一方の端部から孔の中心点を通って孔の他方の端部までを結ぶ線分の最小幅が１０ｍｍ以上であり最大幅が５０ｍｍ以下に形成されていることが好ましい。
すなわち、上記線分の最小幅が１０ｍｍよりも小さく形成されていると、ご飯を掬う際、孔内にご飯が詰まってしまい、掬取部にご飯が付着してしまうおそれが生じてしまう。
また、上記線分の最大幅が５０ｍｍよりも大きく形成されていると、この孔からご飯がこぼれ落ちて、上手くご飯を掬うことが出来なくなってしまうおそれが生じてしまう。
【００１１】
また、掬取部に設けられる孔の数は、孔の径の大きさにより変わるため、少なくとも二つ以上設けられていれば特に限定されない。
加えて、掬取部に設けられている複数の孔の面積の合計は、掬取部の面積の２５％以上７５％以下程度となるようにすることが好ましい。すなわち、掬取部の面積に対して、この掬取部に設けられている複数の孔の面積の合計が、上述した範囲内にあると、ご飯を掬い取る際に、掬取部にご飯が付着することを防止することと、ご飯が孔からこぼれ落ちることのないこととのバランスに優れたものとなるのである。
【００１２】
【発明の実施の形態】
以下に、本発明の実施の形態を、図面を参照しつつ詳しく説明する。
図１は、本発明にかかるしゃもじの一実施の形態を示した斜視図である。
図１に示したように、しゃもじ１は、射出成形により成形された合成樹脂成形品であり、掬取部１１と把手部１２とを備えている。
【００１３】
掬取部１１は、図１に示したように、ご飯を掬い取るのに適した形状をしており、孔２が穿設されている。
把手部１２は、掬取部１１の一端から延設されており、握るのに適した大きさをしている。
【００１４】
孔２は、直径約１０ｍｍの円形をしており、掬取部１１の一面から他面にかけて貫通するように、掬取部１１に９つ略均等に分散するようにして設けられている。
孔２は、しゃもじ１を成形する時点から、掬取部１１に設けられるような金型を使用して形成される。
【００１５】
しゃもじ１は、ご飯をよそう際、掬取部１１に孔２が設けられている分、ご飯と掬取部１１との接触面積が小さくなり、その分ご飯が掬取部１１に付着しにくくなる。一方、ご飯は、自身に粘りを有しているため、掬取部１１に孔２が設けられていても、孔２の大きさ程度では、ご飯がこぼれ落ちることがなく、従来の一般に用いられているしゃもじと同様にご飯を掬うことができる。
【００１６】
また、しゃもじ１は、ご飯との接触面積を小さくするという物理的性質に基づいて、ご飯の付着を防止するものであるため、長期間使用することにより、付着防止効果が悪くなることもない。
さらに、しゃもじ１は、射出成形により容易に成形することができるため、非常に安価に製造することができる。
【００１７】
なお、本発明にかかるしゃもじは、上記実施の形態に限定されない。
たとえば、しゃもじ１は、上述したような構成に加えて、フッ素樹脂やシリコン樹脂などにより表面加工を行うようにしたり、球面状の突起を形成させるようにしたりしても構わない。このようにすると、孔２を設けることにより、ご飯と掬取部１１との接触面積を小さくすることができるのに加えて、掬取部１１に対するご飯の滑りが良くなるので、より確実にご飯の付着防止を図ることができるようになる。
【００１８】
また、しゃもじ１は、射出成形により成形された合成樹脂製のものであったが、木製や竹製のしゃもじの場合は、公知のしゃもじを形成した後に孔を穿設するようにしても良い。
【００１９】
また、孔は、上述した実施の形態の孔２に代えて、もっと小さい径をした孔を、掬取部１１により多く穿設するようにしても良いし、もっと大きい径をした孔を、掬取部１１により少なく穿設するようにしても良い。
【００２０】
【発明の効果】
以上のことより、本発明にかかるしゃもじは、掬取部におけるご飯との接触面積が小さくなり、掬取部表面にご飯が付着しにくくなる。また、長期間使用しても付着防止効果が劣化することがない。
さらに、しゃもじの掬取部に所定の大きさを有する孔を形成させるだけで製造することができるため、安価にしかも容易に製造することができる。
【図面の簡単な説明】
【図１】本発明にかかるしゃもじの１実施形態を示した斜視図である。
【符号の説明】
１　　　　しゃもじ
１１　　　掬取部
１２　　　把手部
２　　　　孔
【図１】
2004057348.tif 000003